(57)【要約】【課題】通信端末の放送波受信機能を補助する放送波受信補助技術を提供する。【解決手段】通信端末９０に着脱可能に取り付けられ、通信端末９０と共に持ち運び可能な本体部１０を有する。本体部１０は、放送波受信アンテナ５０と、放送波受信アンテナ５０からの信号を増幅する増幅器４０と、増幅器４０の出力端子３２からの出力信号を通信端末９０に伝達する信号伝達部７０と、放送波受信アンテナ５０からの信号を増幅器４０に供給する第１信号経路と、放送波受信アンテナ５０からの信号を増幅器４０の出力端子３２に供給する第２信号経路とを切替可能な信号経路切替機構Ａを含む。信号経路切替機構Ａによって第２信号経路が選択されているときに増幅器４０に電力が供給されない構成を有する。【選択図】図３
2014140093.tif 000002
【特許請求の範囲】
【請求項１】
通信端末の放送波受信機能を補助する通信端末用放送波受信補助装置であって、
上記通信端末用放送波受信補助装置は、上記通信端末に着脱可能に取り付けられ、上記通信端末と共に持ち運び可能な本体部を持ち、
上記本体部は、
放送波を受信する放送波受信アンテナと、
上記放送波受信アンテナからの信号を増幅する増幅器と、
上記増幅器の出力端子からの出力信号を上記通信端末に伝達する信号伝達部と、
上記放送波受信アンテナからの信号を上記増幅器に供給する第１信号経路と、上記放送波受信アンテナからの信号を上記増幅器の上記出力端子に供給する第２信号経路とを切替可能な信号経路切替機構と
を含み、
上記通信端末用放送波受信補助装置は、電源を備えるか又は上記通信端末から電力の供給を受け、上記信号経路切替機構によって上記第２信号経路が選択されているときに上記増幅器に電力が供給されない構成を有する
ことを特徴とする通信端末用放送波受信補助装置。
【請求項２】
請求項１に記載の通信端末用放送波受信補助装置であって、
上記信号経路切替機構は、
上記増幅器の入力信号または上記増幅器の上記出力端子からの出力信号の信号レベルをモニターし、当該信号レベルが予め定められた閾値を越えている場合に、上記第２信号経路を選択する
ことを特徴とする通信端末用放送波受信補助装置。
【請求項３】
請求項１に記載の通信端末用放送波受信補助装置であって、
上記信号経路切替機構は、
上記第１信号経路と上記第２信号経路とを切り替える手動スイッチと、
上記増幅器の入力信号または上記増幅器の上記出力端子からの出力信号の信号レベルをモニターし、当該信号レベルと予め定められた閾値との大小関係に応じて上記端末装置のユーザの感覚器で感知可能な所定の物理的刺激を発する通知手段とを含む
ことを特徴とする通信端末用放送波受信補助装置。
【請求項４】
通信端末の放送波受信機能を補助する通信端末用放送波受信補助システムであって、
上記通信端末に着脱可能に取り付けられ、上記通信端末と共に持ち運び可能な本体部を持つ通信端末用放送波受信補助装置と、
放送波の受信感度と予め定められた閾値との大小関係に応じて上記通信端末用放送波受信補助装置に所定の信号（以下、トリガ信号という）を発する受信感度通知手段を備えた上記通信端末と
を含み、
上記本体部は、
放送波を受信する放送波受信アンテナと、
上記放送波受信アンテナからの信号を増幅する増幅器と、
上記増幅器の出力端子からの出力信号を上記通信端末に伝達する信号伝達部と、
上記放送波受信アンテナからの信号を上記増幅器に供給する第１信号経路と、上記放送波受信アンテナからの信号を上記増幅器の上記出力端子に供給する第２信号経路とを切替可能な信号経路切替機構と、
上記トリガ信号を受信する受信部と
を含み、
上記通信端末用放送波受信補助装置は、電源を備えるか又は上記通信端末から電力の供給を受け、受信した上記トリガ信号が上記受信感度が上記閾値よりも低いことを表すものの場合に上記信号経路切替機構によって上記第１信号経路を選択するとともに、上記第２信号経路が選択されているときに上記増幅器に電力が供給されない構成を有する
ことを特徴とする通信端末用放送波受信補助システム。
【請求項５】
通信端末の放送波受信機能を補助する通信端末用放送波受信補助システムであって、
上記通信端末に着脱可能に取り付けられ、上記通信端末と共に持ち運び可能な本体部を持つ通信端末用放送波受信補助装置と、
放送波の受信感度と予め定められた閾値との大小関係に応じて上記端末装置のユーザの感覚器で感知可能な所定の物理的刺激を発する通知手段を備えた上記通信端末と
を含み、
上記本体部は、
放送波を受信する放送波受信アンテナと、
上記放送波受信アンテナからの信号を増幅する増幅器と、
上記増幅器の出力端子からの出力信号を上記通信端末に伝達する信号伝達部と、
上記放送波受信アンテナからの信号を上記増幅器に供給する第１信号経路と、上記放送波受信アンテナからの信号を上記増幅器の上記出力端子に供給する第２信号経路とを切替可能な手動スイッチと
を含み、
上記通信端末用放送波受信補助装置は、電源を備えるか又は上記通信端末から電力の供給を受け、上記第２信号経路が選択されているときに上記増幅器に電力が供給されない構成を有する
ことを特徴とする通信端末用放送波受信補助システム。
【請求項６】
通信端末の放送波受信機能を補助する通信端末用放送波受信補助システムであって、
上記通信端末に着脱可能に取り付けられ、上記通信端末と共に持ち運び可能な本体部を持つ通信端末用放送波受信補助装置と、
上記通信端末と
を含み、
上記本体部は、
放送波を受信する放送波受信アンテナと、
上記放送波受信アンテナからの信号を増幅する増幅器と、
上記増幅器の出力端子からの出力信号を上記通信端末に伝達する信号伝達部と、
上記放送波受信アンテナからの信号を上記増幅器に供給する第１信号経路と、上記放送波受信アンテナからの信号を上記増幅器の上記出力端子に供給する第２信号経路とを切替可能な手動スイッチと、
上記増幅器の入力信号または上記増幅器の上記出力端子からの出力信号の信号レベルをモニターし、当該信号レベルと予め定められた閾値との大小関係に応じて上記通信端末に所定の信号（以下、トリガ信号という）を発する受信感度通知手段と
を含み、
上記通信端末は、
上記トリガ信号を受信する受信部と、
上記端末装置のユーザの感覚器で感知可能な所定の物理的刺激を上記トリガ信号に応じて発する通知手段と
を含み、
上記通信端末用放送波受信補助装置は、電源を備えるか又は上記通信端末から電力の供給を受け、上記第２信号経路が選択されているときに上記増幅器に電力が供給されない構成を有する
ことを特徴とする通信端末用放送波受信補助システム。
【発明の詳細な説明】
【技術分野】
【０００１】
本発明は、通信端末の放送波受信機能を補助する放送波受信補助技術に関する。
【背景技術】
【０００２】
日本における通信端末用アナログ放送波の周波数は220MHz帯に属する。この放送波を受信するためのアンテナがλ/4モノポールアンテナの場合に約35cmのアンテナ長が必要である。このような長さを持つアンテナであれば標準的なアンテナ利得を得られるが、スマートフォンのように掌に納まるサイズの通信端末内にそのようなアンテナを搭載するのは現実的ではない。このため通信端末用アナログ放送波を受信できる通信端末は、伸縮可能なロッドアンテナを備えていることが多い。アナログ放送を視聴する際は通信端末に備えられているロッドアンテナを伸ばして使用するという状況が一般的である。
【先行技術文献】
【非特許文献】
【０００３】
【非特許文献１】ドコモテクニカルジャーナル  Vol.20 No.3, Oct.2012
【発明の概要】
【発明が解決しようとする課題】
【０００４】
しかし、現状の通信端末に備えられているアナログ放送波受信用ロッドアンテナを伸ばしても十分な長さにならない。このため十分なアンテナ利得を得られず、結果として受信感度が低くなり、放送可能エリアでも放送局から遠くなると、例えば室内では窓際でしかアナログ放送波を受信できないという問題が生じている。この他、ロッドアンテナの伸長／短縮を丁寧に扱う必要がある、アナログ放送波のリアルタイム視聴あるいはアナログ放送のコンテンツを受信して蓄積するたびにアンテナを伸長しなくてはいけない、といったユーザにとっての不便も課題となっている。従って、ロッドアンテナを伸ばさない状態での受信感度の改善が望まれる。テレビ放送などの場合、アンテナ利得が得られない場合にはロッドアンテナと受信機との間に低雑音増幅器(LNA：Low Noise Amplifier)を介在させて感度を確保することが一般的である。しかし、現状の通信端末（例えばスマートフォン）の内部では雑音レベルが非常に大きいため、通信端末の内部に設けたLNAによって感度改善の効果を得ることは困難である。
【０００５】
このような考察に基づき、本発明は、通信端末の放送波受信機能を補助する放送波受信補助技術を提供することを目的とする。
【課題を解決するための手段】
【０００６】
本発明の通信端末用放送波受信補助装置は、通信端末の放送波受信機能を補助する通信端末用放送波受信補助装置であって、通信端末用放送波受信補助装置は、通信端末に着脱可能に取り付けられ、通信端末と共に持ち運び可能な本体部を有する。本体部は、放送波を受信する放送波受信アンテナと、放送波受信アンテナからの信号を増幅する増幅器と、増幅器の出力端子からの出力信号を通信端末に伝達する信号伝達部と、放送波受信アンテナからの信号を増幅器に供給する第１信号経路と、放送波受信アンテナからの信号を増幅器の出力端子に供給する第２信号経路とを切替可能な信号経路切替機構とを含んでいる。通信端末用放送波受信補助装置は、電源を備えるか又は通信端末から電力の供給を受け、信号経路切替機構によって第２信号経路が選択されているときに増幅器に電力が供給されない構成を有する。
【０００７】
信号経路切替機構は、例えば、増幅器の入力信号または増幅器の出力端子からの出力信号の信号レベルをモニターし、信号レベルが予め定められた閾値を越えている場合に、第２信号経路を選択するように構成されている。
【０００８】
あるいは、信号経路切替機構は、第１信号経路と第２信号経路とを切り替える手動スイッチと、増幅器の入力信号または増幅器の出力端子からの出力信号の信号レベルをモニターし、この信号レベルと予め定められた閾値との大小関係に応じて端末装置のユーザの感覚器で感知可能な所定の物理的刺激を発する通知手段とを含む構成を有していてもよい。
【０００９】
また、本発明の通信端末用放送波受信補助システムは、通信端末の放送波受信機能を補助する通信端末用放送波受信補助システムであって、通信端末に着脱可能に取り付けられ、通信端末と共に持ち運び可能な本体部を持つ通信端末用放送波受信補助装置と、放送波の受信感度と予め定められた閾値との大小関係に応じて通信端末用放送波受信補助装置に所定の信号（以下、トリガ信号という）を発する受信感度通知手段を備えた通信端末とを含んでいる。本体部は、放送波を受信する放送波受信アンテナと、放送波受信アンテナからの信号を増幅する増幅器と、増幅器の出力端子からの出力信号を通信端末に伝達する信号伝達部と、放送波受信アンテナからの信号を増幅器に供給する第１信号経路と、放送波受信アンテナからの信号を増幅器の出力端子に供給する第２信号経路とを切替可能な信号経路切替機構と、トリガ信号を受信する受信部とを含んでいる。通信端末用放送波受信補助装置は、電源を備えるか又は通信端末から電力の供給を受け、受信したトリガ信号が受信感度が閾値よりも低いことを表すものの場合に信号経路切替機構によって第１信号経路を選択するとともに、第２信号経路が選択されているときに増幅器に電力が供給されない構成を有する。
【００１０】
あるいは、通信端末の放送波受信機能を補助する通信端末用放送波受信補助システムであって、通信端末に着脱可能に取り付けられ、通信端末と共に持ち運び可能な本体部を持つ通信端末用放送波受信補助装置と、放送波の受信感度と予め定められた閾値との大小関係に応じて端末装置のユーザの感覚器で感知可能な所定の物理的刺激を発する通知手段を備えた通信端末とを含んでいる。本体部は、放送波を受信する放送波受信アンテナと、放送波受信アンテナからの信号を増幅する増幅器と、増幅器の出力端子からの出力信号を通信端末に伝達する信号伝達部と、放送波受信アンテナからの信号を増幅器に供給する第１信号経路と、放送波受信アンテナからの信号を増幅器の出力端子に供給する第２信号経路とを切替可能な手動スイッチとを含んでいる。通信端末用放送波受信補助装置は、電源を備えるか又は通信端末から電力の供給を受け、第２信号経路が選択されているときに増幅器に電力が供給されない構成を有する。
【００１１】
あるいは、通信端末の放送波受信機能を補助する通信端末用放送波受信補助システムであって、通信端末に着脱可能に取り付けられ、通信端末と共に持ち運び可能な本体部を持つ通信端末用放送波受信補助装置と、通信端末とを含んでいる。本体部は、放送波を受信する放送波受信アンテナと、放送波受信アンテナからの信号を増幅する増幅器と、増幅器の出力端子からの出力信号を通信端末に伝達する信号伝達部と、放送波受信アンテナからの信号を増幅器に供給する第１信号経路と、放送波受信アンテナからの信号を増幅器の出力端子に供給する第２信号経路とを切替可能な手動スイッチと、増幅器の入力信号または増幅器の出力端子からの出力信号の信号レベルをモニターし、信号レベルと予め定められた閾値との大小関係に応じて通信端末に所定の信号（以下、トリガ信号という）を発する受信感度通知手段とを含んでおり、通信端末は、トリガ信号を受信する受信部と、端末装置のユーザの感覚器で感知可能な所定の物理的刺激をトリガ信号に応じて発する通知手段とを含んでいる。通信端末用放送波受信補助装置は、電源を備えるか又は通信端末から電力の供給を受け、第２信号経路が選択されているときに増幅器に電力が供給されない構成を有する。
【発明の効果】
【００１２】
本発明によると、通信端末用放送波受信補助装置の本体部は、放送波を受信する放送波受信アンテナと、放送波受信アンテナからの信号を増幅する増幅器と、増幅器の出力端子からの出力信号を通信端末に伝達する信号伝達部とを含んでいるため、良好な受信感度を得ることができる。また、本体部は、放送波受信アンテナからの信号を増幅器に供給する第１信号経路と、放送波受信アンテナからの信号を増幅器の出力端子に供給する第２信号経路とを切替可能な信号経路切替機構も含んでいて、さらに、電源を備えるか又は通信端末から電力の供給を受け、信号経路切替機構によって第２信号経路が選択されているときに増幅器に電力が供給されない構成を有するから、受信信号を増幅する必要のない良好な電波環境においては電源の消費を抑制することができる。
【図面の簡単な説明】
【００１３】
【図１】実施形態の通信端末用放送波受信補助システムの構成例を示す図。
【図２】実施形態の通信端末用放送波受信補助装置が通信端末に取り付けられた状態を示す図。
【図３】実施形態の通信端末用放送波受信補助装置の構成例を示す図。
【図４】実施形態の通信端末用放送波受信補助装置の構成例を示す図。
【図５】実施形態の通信端末用放送波受信補助装置の構成例を示す図。
【図６】実施形態の通信端末用放送波受信補助装置の構成例を示す図。
【図７】実施形態の通信端末用放送波受信補助装置の構成例を示す図。
【図８】実施形態の通信端末用放送波受信補助装置の構成例を示す図。
【図９】閾値Th1と増幅器の出力端子からの出力信号の信号レベルとの関係を説明する図。
【発明を実施するための形態】
【００１４】
図面を参照して本発明の実施形態を説明する。通信端末用放送波受信補助システム２は、通信端末９０と、通信端末９０の放送波受信機能を補助する通信端末用放送波受信補助装置１とによって構成される（図１参照。なお、図１に示される通信端末用放送波受信補助装置１は一例であり、この図１に示される通信端末用放送波受信補助装置１に限定されることを意図しない。図３や図４などに示される通信端末用放送波受信補助装置１と通信端末９０によって通信端末用放送波受信補助システム２を構成することも許される）。通信端末用放送波受信補助装置１は、通信端末９０に着脱可能に取り付けられ、通信端末９０に取り付けられている状態で通信端末９０と共に持ち運び可能な本体部１０を有する（図２参照）。
【００１５】
図１、図３−図８に例示される本体部１０は、底面が矩形の槽のような外観形状を持ち、例えばスマートフォンのような略直方体状の通信端末９０の液晶ディスプレイ９１が配置された面部以外の五つの面部に接触してこれらの面部を覆うように、通信端末９０に着脱可能に取り付けられる。現在、通信端末９０を衝撃等から保護する目的でスマートフォンに着脱可能に取り付けられる軟らかい合成樹脂製のカバー（これはジャケットなどと呼称される場合がある）が知られており、本体部１０は、このカバーと同じ材料で成形することができる。
【００１６】
本体部１０は、図１、図３−図８に例示されるように、放送波を受信する放送波受信アンテナ５０と、放送波受信アンテナ５０からの受信信号を増幅する低雑音増幅器４０（以下、単に増幅器４０という）と、増幅器４０の出力端子３２からの出力信号を通信端末９０に伝達する信号伝達部７０と、信号経路切替機構Ａとを含んでいる。信号経路切替機構Ａは、放送波受信アンテナ５０からの受信信号を増幅器４０に供給する第１信号経路と、放送波受信アンテナ５０からの受信信号を増幅器４０の出力端子３２に供給する第２信号経路とを切り替える機構である。これらの各構成要素は、図示される実施形態では、底面が矩形の槽のような外観形状を持つ本体部１０の底面部に配置されている。
【００１７】
通信端末用放送波受信補助装置１は、電源を備えるか又は通信端末９０から電力の供給を受ける構成を有している。図示される通信端末用放送波受信補助装置１ではいずれも本体部１０が電源６０を備える構成を有している（電源６０として一次電池や二次電池を例示できる）。この理由は、通信端末９０の電池の消費を抑制するためである。通信端末９０の電池の電池容量が大きい場合などでは、通信端末用放送波受信補助装置１が通信端末９０から電力の供給を受ける構成を有してもよい。この場合、本体部１０と通信端末９０が共にＵＳＢ端子を備えており、本体部１０と通信端末９０とをＵＳＢケーブルで接続する構成や、あるいは、本体部１０の内底面と通信端末９０の背面パネルのそれぞれが外部に露出した金属端子を備えており（通信端末９０の背面パネルに備わる端子は通信端末９０の電池に接続しているとする）、本体部１０が通信端末９０に取り付けられた状態で両者の金属端子が互いに接触する構成を採用することができる。
【００１８】
図３に示される通信端末用放送波受信補助装置１の信号経路切替機構Ａは、信号経路切替制御回路２１と第１スイッチ２２と第２スイッチ２３を含む構成を有する。図３に示す実施形態では第１スイッチ２２はＳＰＳＴ（Single Pole Single Throw）スイッチの構成を持ち、第１スイッチ２２の一端は電源６０の一端に接続しており、第１スイッチ２２の他端は増幅器４０の出力側のラインに接続している。電源６０の他端はシャーシグラウンドに接続している。また、図３に示す実施形態では第２スイッチ２３はＳＰＤＴ（Single Pole Double Throw）スイッチの構成を持ち、第２スイッチ２３の入力端は放送波受信アンテナ５０に接続しており、第２スイッチ２３の第１出力端は増幅器４０の入力側のラインに接続しており、第２スイッチ２３の第２出力端は増幅器４０の出力端子３２に直結するラインに接続している。第２スイッチ２３の第１出力端から増幅器４０を経由して出力端子３２に至る信号経路が第１信号経路を含み、第２スイッチ２３の第２出力端から増幅器４０を経由せずに出力端子３２に至る信号経路が第２信号経路を含む。信号経路切替制御回路２１は、第１スイッチ２２と第２スイッチ２３のそれぞれの切替制御を行う回路である。なお、増幅器４０の入力端子３１とスイッチ２４との間およびスイッチ２４と増幅器４０の出力端子３２との間の線路は放送波受信アンテナ５０および増幅器４０と同じ特性インピーダンスを有していることが望ましい。また、スイッチ２４として例えばFETスイッチを使用する場合にはスイッチ２４と電源６０との間に高周波カット用のインダクタンス（例えばチップインダクタ）を設け、電源供給が増幅器４０の入力端子３１または出力端子３２のどちらか一方に対してのみの場合はDCカットのキャパシタンス（例えばチップキャパシタ）を設けることが望ましい。なお、第２信号経路の線路のインピーダンスは、放送波受信アンテナ５０および増幅器４０の設計インピーダンスと同じであることが望ましい。
【００１９】
なお、図３に示される実施形態では、増幅器４０の出力端子３２からの出力信号が信号経路切替制御回路２１に入力されるように構成されており、信号経路切替制御回路２１は、増幅器４０の出力端子３２からの出力信号の信号レベルをモニターする。信号経路切替制御回路２１は、増幅器４０の出力端子３２からの出力信号の信号レベルが予め定められた閾値Th1を越えている場合に（図９の時間区間Ｔに相当する）、第２信号経路が選択されるように、増幅器４０の出力端子３２からの出力信号の信号レベルが予め定められた閾値Th1を越えていない場合に（図９の時間区間Ｔ以外の区間に相当する）、第１信号経路が選択されるように、第２スイッチ２３の切替制御を行う（つまり、第２スイッチ２３の入力端が第２スイッチ２３の第２出力端に接続する）。この閾値Th1は、閾値Th1を超えている信号の信号レベルが、放送波受信アンテナ５０からの受信信号を増幅器４０で増幅しないでも（つまり、放送波受信アンテナ５０からの受信信号を第２信号経路に通した場合でも）、放送波受信アンテナ５０からの受信信号の受信レベルがアナログ放送を視聴可能な受信レベルに達しているように、定められている（図９参照）。さらに、信号経路切替制御回路２１は、第２信号経路が選択されている状態において、第１スイッチ２２のＯＦＦ状態とする切替制御を行う。このため、第２信号経路が選択されているときに増幅器４０に電力が供給されず、電源６０の消費を抑制することができる。
【００２０】
第１信号経路が選択されているとき、つまり、第２スイッチ２３の入力端が第２スイッチ２３の第１出力端に接続しているとき、放送波受信アンテナ５０からの受信信号は増幅器４０に供給される。増幅器４０の出力端子３２からの出力信号つまり増幅された受信信号は出力端子３２に接続している信号伝達部７０に供給される。また、第２信号経路が選択されているとき、つまり、第２スイッチ２３の入力端が第２スイッチ２３の第２出力端に接続しているとき、放送波受信アンテナ５０からの受信信号は増幅器４０を経由せずに増幅器４０の出力端子３２に至る。このため、放送波受信アンテナ５０からの受信信号は増幅されることなく信号伝達部７０に供給される。信号伝達部７０は、供給された信号（増幅された受信信号または増幅されていない受信信号）を通信端末９０に伝達する。
【００２１】
信号伝達部７０は、その構成に限定はなく、例えばアンテナ素子や金属端子などでもよい。信号伝達部７０がアンテナ素子である場合には、本体部１０が通信端末９０に取り付けられている状態において信号伝達部７０が通信端末９０に内蔵されている放送波受信アンテナ（例えばロッドアンテナ）の近傍に位置するように、本体部１０に配置される。また、信号伝達部７０が金属端子である場合には、信号伝達部７０の少なくとも一部が本体部１０から露出し、この露出部分が、本体部１０が通信端末９０に取り付けられている状態において、通信端末９０の背面パネルから露出していて放送波受信アンテナ（例えばロッドアンテナ）に接続されている金属端子に接触する構成を採用できる。
【００２２】
信号経路切替機構Ａとして、上述の構成と異なり、例えば、図４に示す構成を採用できる。図４に示される信号経路切替機構Ａは、信号経路切替制御回路２１とスイッチ２４を含む構成を有する。図４に示す実施形態ではスイッチ２４はＳＰＤＴ（Single Pole Double Throw）スイッチの構成を持ち、スイッチ２４の入力端は増幅器４０の出力端子３２に至るラインに接続しており、スイッチ２４の第１出力端は電源６０の一端に接続しており、スイッチ２４の第２出力端は増幅器４０の入力端子３１に直結するラインに接続している。なお、この構成を採用している図４に示される実施形態では、増幅器４０の入力端子３１は放送波受信アンテナ５０に接続しており、信号経路切替制御回路２１はスイッチ２４の切替制御を行う。スイッチ２４を経由せずに入力端子３１から増幅器４０を経由して出力端子３２に至る信号経路が第１信号経路を含み、入力端子３１からスイッチ２４を経由して出力端子３２に至る信号経路が第２信号経路を含む。信号経路切替制御回路２１は、増幅器４０の出力端子３２からの出力信号の信号レベルをモニターし、増幅器４０の出力端子３２からの出力信号の信号レベルが予め定められた閾値を越えている場合に、第２信号経路が選択されるように、スイッチ２４の切替制御を行う（つまり、スイッチ２４の入力端がスイッチ２４の第２出力端に接続する）。スイッチ２４によって第２信号経路が選択されている状態では、電源６０からの電力供給が絶たれるため、電源６０の消費を抑制することができる。
【００２３】
なお、上述の実施形態では、増幅器４０の出力端子３２からの出力信号が信号経路切替制御回路２１に入力されるように構成されていたが、増幅器４０の入力信号が信号経路切替制御回路２１に入力される構成を採用することによって、信号経路切替制御回路２１が増幅器４０の入力信号の信号レベルをモニターするようにしてもよい（図５と図６を参照）。この場合、信号経路切替制御回路２１は、増幅器４０の入力信号の信号レベルが予め定められた閾値Th2を越えている場合に、第２信号経路が選択されるように、第２スイッチ２３（またはスイッチ２４）の切替制御を行う。この閾値Th2は、アナログ放送を視聴可能な受信レベルと等しく定められている。
【００２４】
なお、図３や図５に示す実施形態では、第１スイッチ２２はＳＰＳＴスイッチの構成を持ち、第１スイッチ２２の他端は増幅器４０の出力側のラインに接続しているが、このような構成に限定されない。例えば、増幅器４０が電力供給端子を持つ場合には、ＳＰＳＴスイッチの構成を持つ第１スイッチ２２の他端を増幅器４０の電力供給端子に接続する構成を採用することができる。他方、図１、図４、図６に示す各実施形態では、スイッチ２４が第２信号経路上の構成要素であるため、スイッチ２４の切替動作によって増幅器４０がその電力供給端子に電源６０からの電力を受ける構成を採用することはできない。
【００２５】
再び図１を参照して説明を加える。図１に示される通信端末用放送波受信補助装置１は図４に示される通信端末用放送波受信補助装置１と異なり、信号経路切替制御回路２１が増幅器４０の出力端子３２からの出力信号の信号レベルをモニターしていない。このため、図１に示される通信端末用放送波受信補助システム２では、通信端末９０が、放送波の受信感度（これは、通信端末９０に内蔵されている放送波受信アンテナによる放送波の受信感度である）と予め定められた閾値（例えば、この閾値は通信端末９０に内蔵されている放送波受信アンテナで放送を視聴可能なレベルである）との大小関係に応じて通信端末用放送波受信補助装置１に所定の信号（例えば無線信号であり、以下、トリガ信号という）を発する受信感度通知手段（図示せず）を備えている。受信感度通知手段によるトリガ信号の発信は定期ないし不定期に実施される。また、通信端末用放送波受信補助装置１は、トリガ信号を受信する受信部（図中に明示せず）を備えている。受信部は信号経路切替制御回路２１と異なる構成要素であってもよいし、信号経路切替制御回路２１が受信部の機能を実現するように構成されていてもよい。信号経路切替制御回路２１が受信部の機能を実現するように構成されている場合、機能の観点からの片面的評価として、信号経路切替制御回路２１を受信部と看做すことができる。受信部が信号経路切替制御回路２１と異なる構成要素である場合には、受信部が受信したトリガ信号は信号経路切替制御回路２１に供給される。信号経路切替制御回路２１は、受信したトリガ信号が上記受信感度が上記閾値よりも低いことを表すものの場合、第１信号経路が選択されるように、スイッチ２４の切替制御を行い、受信したトリガ信号が上記受信感度が上記閾値よりも低くないことを表すものの場合、第２信号経路が選択されるように、スイッチ２４の切替制御を行う。
【００２６】
同様に、図３、図５、図６のいずれかに示す構成において、信号経路切替制御回路２１が増幅器４０の出力端子３２からの出力信号あるいは増幅器４０の入力信号の信号レベルをモニターしていない場合にも、通信端末９０が放送波の受信感度と予め定められた閾値との大小関係に応じて通信端末用放送波受信補助装置１に所定のトリガ信号を発する受信感度通知手段を備えており、通信端末用放送波受信補助装置１がトリガ信号を受信する受信部を備えている構成を採用できる。この場合も、信号経路切替制御回路２１は、受信したトリガ信号が上記受信感度が上記閾値よりも低いことを表すものの場合、第１信号経路が選択されるように、第２スイッチ２３の切替制御を行い、受信したトリガ信号が上記受信感度が上記閾値よりも低くないことを表すものの場合、第２信号経路が選択されるように、第２スイッチ２３の切替制御を行う。
【００２７】
上述の実施形態は、信号経路切替制御回路２１による制御を受けて第１スイッチ２２、第２スイッチ２３、スイッチ２４が動作する構成である。しかし、このような構成に限定されない。ユーザの意思で第１信号経路と第２信号経路の切り替えを可能とする観点から、信号経路切替機構Ａが第１信号経路と第２信号経路とを切り替える手動スイッチを含む構成を採用できる。図７に、このような信号経路切替機構Ａを含んでいる通信端末用放送波受信補助装置１を示す。ここでは、図５に示す通信端末用放送波受信補助装置１と異なる事項を説明する。
【００２８】
手動スイッチは、プッシュロッド８０と第１スイッチ２２と第２スイッチ２３とで構成される。コ字状のプッシュロッド８０の中央部分（タクタイル部）はユーザが操作できるように本体部１０から突出しており、ユーザがプッシュロッド８０の中央部分を押すと、プッシュロッド８０の一端部が第１スイッチ２２に押し込まれて第１スイッチ２２がオン状態となるように作用し、同時に、プッシュロッド８０の他端部が第２スイッチ２３に押し込まれて第２スイッチ２３の入力端と第２スイッチ２３の第１出力端が接続するように作用する（図８参照）。そして、ひとたびプッシュロッド８０がユーザによって押し込まれると、プッシュロッド８０はその状態を保持する。このような機構は、例えば、周知のオルタネイト動作型（位置保持型）押しボタンと同じ機構によって達成できる。そして、この状態において、再びユーザがプッシュロッド８０の中央部分を押すと、プッシュロッド８０は上記状態から解放され、プッシュロッド８０の一端部が第１スイッチ２２への上記作用を解消して第１スイッチ２２がオフ状態となり、プッシュロッド８０の他端部が第２スイッチ２３への上記作用を解消して第２スイッチ２３の入力端と第２スイッチ２３の第２出力端が接続することになる。
【００２９】
手動スイッチをプッシュロッド８０とスイッチ２４とで構成する場合も、プッシュロッド８０と第１スイッチ２２と第２スイッチ２３とで構成される上述の手動スイッチと同様の機構を持つように構成することができる。
【００３０】
また、ユーザに第１信号経路と第２信号経路の切り替えを促すため、信号経路切替機構Ａは、増幅器４０の入力信号または増幅器４０の出力端子３２からの出力信号の信号レベルと予め定められた閾値との大小関係に応じてユーザの感覚器で感知可能な所定の物理的刺激を発する通知手段８５を含む。図７に示す通信端末用放送波受信補助装置１では、通知手段８５は信号経路切替制御回路２１に接続されており、信号経路切替制御回路２１の制御を受けて動作する。信号経路切替制御回路２１は、増幅器４０の入力信号または増幅器４０の出力端子３２からの出力信号の信号レベルをモニターし（図７に示す通信端末用放送波受信補助装置１では、信号経路切替制御回路２１は、増幅器４０の入力信号の信号レベルをモニターしている）、この信号レベルが予め定められた閾値を越えていない場合に第１信号経路がユーザによって選択され、この信号レベルが予め定められた閾値を越えている場合に第２信号経路がユーザによって選択されるように、通知手段８５を動作させる。
【００３１】
「ユーザの感覚器で感知可能な所定の物理的刺激」とは、例えば、光、音、振動、熱、視覚情報などであるが、通常は、光、音、振動、視覚情報が選択される。物理的刺激が光の場合には通知手段８５は例えば発光ダイオード、物理的刺激が音の場合には通知手段８５は例えばスピーカ、物理的刺激が振動の場合には通知手段８５は例えば振動発生器、物理的刺激が視覚情報の場合には通知手段８５は例えば文字や図記号などを表示する液晶ディスプレイである。この場合、増幅器４０の入力信号または増幅器４０の出力端子３２からの出力信号の信号レベルが予め定められた閾値を越えていない場合、信号経路切替制御回路２１は、通知手段８５が発光ダイオードならば発光するように通知手段８５を制御し、通知手段８５がスピーカならば警報音を発するように通知手段８５を制御し、通知手段８５が振動発生器ならば振動を発生するように通知手段８５を制御し、通知手段８５が液晶ディスプレイならば第１信号経路を選択するように手動スイッチを操作することをユーザに促す文言や図記号を液晶ディスプレイに表示するように通知手段８５を制御する。
【００３２】
信号経路切替機構Ａが、増幅器４０の入力信号または増幅器４０の出力端子３２からの出力信号の信号レベルと予め定められた閾値との大小関係に応じてユーザの感覚器で感知可能な所定の物理的刺激を発する通知手段８５を含む上述の構成に替えて、通信端末９０が、放送波の受信感度（これは、通信端末９０に内蔵されている放送波受信アンテナによる放送波の受信感度である）と予め定められた閾値（例えば、この閾値は通信端末９０に内蔵されている放送波受信アンテナで放送を視聴可能なレベルである）との大小関係に応じてユーザの感覚器で感知可能な所定の物理的刺激を発する通知手段（図示せず）を含む構成を採用してもよい。通信端末９０の制御部（図示せず）は、信号感度が予め定められた閾値を越えていない場合に第１信号経路がユーザによって選択され、信号感度が予め定められた閾値を越えている場合に第２信号経路がユーザによって選択されるように、通知手段８５を動作させる。
【００３３】
この構成によると、通信端末９０が別の目的で通知手段に相当する構成要素を含んでいる場合があるので、当該構成要素を通知手段として利用してもよい。例えば、移動機である通信端末９０は、一般的に、通話着信をユーザに知らせることを主たる目的として振動発生器を含んでいるので、この振動発生器を通知手段として利用することができる。
【００３４】
あるいは、信号経路切替機構Ａが、増幅器４０の入力信号または増幅器４０の出力端子３２からの出力信号の信号レベルと予め定められた閾値との大小関係に応じてユーザの感覚器で感知可能な所定の物理的刺激を発する通知手段８５を含む上述の構成に替えて、信号経路切替機構Ａが、増幅器４０の入力信号または増幅器４０の出力端子３２からの出力信号の信号レベルと予め定められた閾値との大小関係に応じて通信端末９０にトリガ信号を発する受信感度通知手段（図示せず）を含む構成を採用してもよい。受信感度通知手段によるトリガ信号の発信は定期ないし不定期に実施される。
【００３５】
この構成では、通信端末９０は、受信感度通知手段が発するトリガ信号を受信する受信部と、受信したトリガ信号に応じてユーザの感覚器で感知可能な所定の物理的刺激を発する通知手段（図示せず）を含む。通信端末９０の制御部（図示せず）は、受信したトリガ信号が上記受信レベルが上記閾値よりも低いことを表すものの場合、第１信号経路がユーザによって選択されるように通信端末９０の通知手段を動作させ、受信したトリガ信号が上記受信レベルが上記閾値よりも低くないことを表すものの場合、第２信号経路がユーザによって選択されるように通信端末９０の通知手段を動作させる。
【図１】
2014140093.tif 000003
【図２】
2014140093.tif 000004
【図３】
2014140093.tif 000005
【図４】
2014140093.tif 000006
【図５】
2014140093.tif 000007
【図６】
2014140093.tif 000008
【図７】
2014140093.tif 000009
【図８】
2014140093.tif 000010
【図９】
2014140093.tif 000011